(57)【要約】      （修正有）【課題】トナーカートリッジを確実に密封できるだけでなく、着脱作業の手間および労力を省くことができるトナーカートリッジの漏れ止め装置を提供する。【解決手段】トナーカートリッジの漏れ止め装置１０は固定部材２０、バルブ３０、第一弾性部材４０、当接部材５０および第二弾性部材６０を備える。トナーカートリッジ１はハウジング３と開口部５を有する。固定部材はハウジングの開口部に装着され、開口部２２と位置決め部２８を有する。バルブは固定部材の開口部の内側を移動可能に固定部材に装着される。第一弾性部材はバルブを固定部材の開口部へ作動させる弾力を生じ、バルブに固定部材の開口部を閉鎖させる。当接部材は前進位置と後退位置の間を移動可能に固定部材に装着され、バルブの内側に位置し、嵌合部５５を有する。当接部材は前進位置でバルブに当接する。第二弾性部材は当接部材を前進位置へ作動させる弾力を生じる。当接部材が後退位置にある時、嵌合部は固定部材の位置決め部に嵌まり、当接部材は移動できない。【選択図】図６
0003226260.tif 000002
【実用新案登録請求の範囲】
【請求項１】
トナーカートリッジに用いられ、固定部材、バルブ、第一弾性部材、当接部材および第二弾性部材を備え、
前記トナーカートリッジは、トナーを格納するためのハウジングと、前記ハウジングに形成された開口部とを有し、
前記固定部材は、前記ハウジングの前記開口部に装着され、開口部および位置決め部を有し、前記開口部は前記ハウジングの内部および外部に繋がり、
前記バルブは前記固定部材の前記開口部の内側を移動可能に前記固定部材に装着され、
前記第一弾性部材は、前記固定部材に装着され、前記バルブを前記固定部材の前記開口部へ作動させる弾力を生じ、前記バルブに前記固定部材の前記開口部を閉鎖させ、
前記当接部材は、前進位置と後退位置の間を移動可能に前記固定部材に装着され、前記バルブの内側に位置付けられ、嵌合部を有し、
前記当接部材が前記前進位置に据えられれば前記バルブに当接し、
前記第二弾性部材は、前記固定部材に装着され、前記当接部材を前記前進位置へ作動させる弾力を生じ、
前記当接部材が前記後退位置に据えられる際、前記当接部材の前記嵌合部は前記固定部材の前記位置決め部に嵌まり、前記当接部材は前記第二弾性部材の弾力を受けて前記後退位置から前記前進位置まで移動することができないことを特徴とする、
トナーカートリッジの漏れ止め装置。
【請求項２】
前記固定部材はさらに管状部および貫通溝を有し、前記管状部は前記ハウジングの内部に差し込まれ、前記貫通溝は前記管状部に形成され、前記ハウジングの内部と前記固定部材の前記開口部を相互に連絡させ、前記固定部材の前記開口部および前記位置決め部は前記管状部の両端に位置付けられ、前記バルブ、前記第一弾性部材、前記当接部材および前記第二弾性部材は前記管状部内に配置されることを特徴とする請求項１に記載のトナーカートリッジの漏れ止め装置。
【請求項３】
前記管状部は肩部を有し、前記第一弾性部材は前記管状部の前記肩部と前記バルブとの間に装着されることを特徴とする請求項２に記載のトナーカートリッジの漏れ止め装置。
【請求項４】
前記管状部はさらに大径部位および小径部位を有し、前記大径部位は前記固定部材の前記開口部の近くに配置され、前記小径部位は前記大径部位から伸びて形成され、前記固定部材の前記位置決め部の近くに配置され、前記肩部は前記大径部位と前記小径部位の連結箇所に位置付けられ、前記バルブおよび前記第一弾性部材は前記大径部位に位置付けられ、前記当接部材および前記第二弾性部材は前記小径部位に入り込むことを特徴とする請求項３に記載のトナーカートリッジの漏れ止め装置。
【請求項５】
前記固定部材はさらに底面を有し、前記底面は前記管状部かつ前記開口部と反対側の一端に位置付けられ、前記固定部材の前記位置決め部は前記底面に形成され、前記第二弾性部材は前記固定部材の前記底面と前記当接部材との間に装着されることを特徴とする請求項２に記載のトナーカートリッジの漏れ止め装置。
【請求項６】
前記当接部材はさらにヘッド部およびシャフトを有し、前記シャフトは前記ヘッド部から伸びて形成され、前記嵌合部は前記シャフトの外周壁に形成され、前記第二弾性部材は前記固定部材の前記底面と前記当接部材の前記ヘッド部との間に装着されることを特徴とする請求項５に記載のトナーカートリッジの漏れ止め装置。
【請求項７】
前記固定部材の前記位置決め部は穿孔からなり、前記当接部材の前記シャフトは前記穿孔に差し込まれ、前記当接部材が前記前進位置に据えられる際、前記当接部材の前記嵌合部は前記固定部材の前記管状部の内側に位置付けられ、前記当接部材が前記後退位置に据えられる際、前記当接部材の前記嵌合部は前記固定部材の前記管状部の外側に位置付けられることを特徴とする請求項６に記載のトナーカートリッジの漏れ止め装置。
【請求項８】
前記当接部材の前記シャフトは軸方向に沿って伸びていくスリットを有し、前記スリットは前記当接部材の前記嵌合部の近くに位置付けられることを特徴とする請求項７に記載のトナーカートリッジの漏れ止め装置。
【請求項９】
前記バルブは皿部および環状位置決め部を有し、前記皿部は位置が前記固定部材の前記開口部に対応し、前記環状位置決め部は前記皿部から伸びて形成され、前記第一弾性部材は前記環状位置決め部に被さって前記皿部に当接し、前記前進位置に据えられる前記当接部材は前記環状位置決め部の中に入り込んで前記皿部に当接することを特徴とする請求項１に記載のトナーカートリッジの漏れ止め装置。
【請求項１０】
前記バルブの前記皿部の直径は前記固定部材の前記開口部の直径より大きいことを特徴とする請求項９に記載のトナーカートリッジの漏れ止め装置。
【請求項１１】
前記当接部材はさらにヘッド部およびシャフトを有し、前記シャフトは前記ヘッド部から伸びて形成され、前記嵌合部は前記シャフトの外周壁に形成され、前記第二弾性部材は一端が前記当接部材の前記ヘッド部に当接することを特徴とする請求項１に記載のトナーカートリッジの漏れ止め装置。
【請求項１２】
さらに密封部材を備え、前記密封部材は前記固定部材の前記開口部に近い前記バルブの一側に装着されることを特徴とする請求項１に記載のトナーカートリッジの漏れ止め装置。
【請求項１３】
前記密封部材はリング状であることを特徴とする請求項１２に記載のトナーカートリッジの漏れ止め装置。
【考案の詳細な説明】
【技術分野】
【０００１】
本考案は電子画像生成装置に関し、詳しくは電子画像生成装置のトナーカートリッジに適用する漏れ止め装置に関するものである。
【背景技術】
【０００２】
一般の電子画像生成装置、例えばコピー機またはプリンターなどは内部にトナーカートリッジを有する。トナーカートリッジは転写に必要なトナーを供給するものである。電子画像生成装置にトナーカートリッジを装着する前には、トナーがトナーカートリッジから漏出することを防ぐために、圧縮スプリングの弾力によって詰め物を押さえてトナー放出口を閉鎖することが一般的である。しかし、電子画像生成装置にトナーカートリッジを装着する際、人の手で圧縮スプリングの弾力を解除しなければトナーカートリッジを装着できない。特にやむを得ずトナーカートリッジの着脱を何回も行う場合、着脱作業に手に強い力が要るため、利便性を欠く。逆にあまり手の力が要らない、弾力が比較的小さいスプリングを使うと、トナーの漏出が起こりやすい。言い換えれば、電子画像生成装置にトナーカートリッジを装着する前、トナーがトナーカートリッジから漏出することを防ぐために如何にトナーカートリッジのトナー放出口を確実に閉鎖するかという問題と、メンテナンスなどのやむを得ない原因によってトナーカートリッジの着脱作業を繰り返しても労力や負担が増えない方法を探ることは、技術的課題である。
【考案の概要】
【考案が解決しようとする課題】
【０００３】
本考案は、電子画像生成装置内に装着される前のトナーカートリッジを確実に密封できるだけでなく、トナーカートリッジの着脱作業にあまり手間や労力が掛からないトナーカートリッジの漏れ止め装置を提供することを主な目的とする。
【課題を解決するための手段】
【０００４】
上述した課題を解決するためのトナーカートリッジの漏れ止め装置は、固定部材、バルブ、第一弾性部材、当接部材および第二弾性部材を備える。トナーカートリッジはトナーを格納するためのハウジングと、ハウジングに形成された開口部とを有する。固定部材はハウジングの開口部に装着され、開口部および位置決め部を有する。開口部はハウジングの内部および外部に繋がる。バルブは固定部材の開口部の内側に移動可能に装着される。第一弾性部材は固定部材に装着され、バルブを固定部材の開口部へ作動させる弾力を生じ、バルブに固定部材の開口部を閉鎖させる。当接部材は前進位置と後退位置の間を移動可能に固定部材に装着され、バルブの内側に位置付けられ、嵌合部を有する。当接部材が前進位置に据えられればバルブに当接する。第二弾性部材は固定部材に装着され、当接部材を前進位置へ作動させる弾力を生じる。当接部材が後退位置に据えられる際、当接部材の嵌合部は固定部材の位置決め部に嵌まるため、当接部材は第二弾性部材の弾力を受けて後退位置から前進位置まで移動することができない。
上述した構造の特徴により、トナーカートリッジの漏れ止め装置は、トナーカートリッジを確実に密封できるだけでなく、着脱作業にあまり手間や労力が掛からない。
【図面の簡単な説明】
【０００５】
【図１】本考案の一実施形態によるトナーカートリッジの漏れ止め装置を使用したトナーカートリッジを示す斜視図である。
【図２】本考案の一実施形態によるトナーカートリッジの漏れ止め装置とトナーカートリッジが分離した状態を示す斜視図である。
【図３】本考案の一実施形態によるトナーカートリッジの漏れ止め装置を示す分解斜視図である。
【図４Ａ】本考案の一実施形態によるトナーカートリッジの漏れ止め装置の固定部材を示す斜視図である。
【図４Ｂ】本考案の一実施形態によるトナーカートリッジの漏れ止め装置の固定部材を示す側面図である。
【図５】本考案の一実施形態によるトナーカートリッジの漏れ止め装置の当接部材を示す側面図である。
【図６】本考案の一実施形態によるトナーカートリッジの漏れ止め装置の作動状態を示す断面図である。
【図７】本考案の一実施形態によるトナーカートリッジの漏れ止め装置の別の作動状態を示す断面図である。
【図８】本考案の一実施形態によるトナーカートリッジの漏れ止め装置の別の作動状態を示す断面図である。
【考案を実施するための形態】
【０００６】
以下、本考案によるトナーカートリッジの漏れ止め装置を図面に基づいて説明する。
【０００７】
（一実施形態）
図１に示すように、本考案の一実施形態による漏れ止め装置１０はトナーカートリッジ１に装着される。トナーカートリッジ１は電子画像生成装置（図中未表示）、例えばコピー機またはプリンターなどに内蔵される。
図７に示すように、電子画像生成装置は接合部材７と、接合部材７に形成されたトナー送入口８とを有する。トナーカートリッジ１はトナーを格納するためのハウジング３と、ハウジング３の一端に形成された開口部５と、漏れ止め装置１０とを有する。電子画像生成装置にトナーカートリッジ１を装着すれば、電子画像生成装置の接合部材７は漏れ止め装置１０に差し込まれる。
図２および図３に示すように、漏れ止め装置１０は固定部材２０、バルブ３０、第一弾性部材４０、当接部材５０、第二弾性部材６０および密封部材７０を備える。本実施形態において、軸方向に沿ってトナーカートリッジ１のハウジング３の内部に向かう方向を内側と定義する。その逆を外側と定義する。
【０００８】
固定部材２０はハウジング３の開口部５に装着される。図４Ａおよび図４Ｂに示すように、固定部材２０は管状部２１、開口部２２、二つの貫通溝２３、底面２７および位置決め部２８を有する。管状部２１はハウジング３の内部に差し込まれる。開口部２２は管状部２１の外側に位置する。二つの貫通溝２３は管状部２１の周壁に形成される。底面２７は管状部２１かつ開口部２２と反対側の一端部または内側端部に位置する。位置決め部２８は底面２７に形成される。
詳しく言えば、管状部２１は肩部２４、開口部２２に近い大径部位２５および位置決め部２８に近い小径部位２６を有する。肩部２４は大径部位２５と小径部位２６の連結箇所に位置する。小径部位２６は大径部位２５から伸びて形成される。開口部２２はハウジング３の内部および内部、かつ二つの貫通溝２３に繋がるため、ハウジング３の内部のトナーは貫通溝２３を通って開口部２２まで届くことができる。位置決め部２８は穿孔２９からなる。
【０００９】
本実施形態において、大径部位２５と小径部位２６は二つの単一部材である。つまり、管状部２１は二つの部材から構成される。肩部２４は小径部位２６に近い大径部位２５の一端に位置する。別の実施形態において、大径部位２５と小径部位２６は上述に限らず、一体成型であってもよい。
【００１０】
バルブ３０は固定部材２０の管状部２１の大径部位２５内を移動可能に開口部２２の内側に配置される。バルブ３０は閉鎖位置Ｐ１（図６および図８参照）と開放位置Ｐ２（図７参照）との間を移動でき、皿部３１および環状位置決め部３５を有する。
皿部３１は位置が固定部材２０の開口部２２に対応し、直径が固定部材２０の開口部２２の直径より大きいため、固定部材２０の開口部２２を密封することができる。バルブ３０で固定部材２０の開口部２２を塞げば、固定部材２０の開口部２２は貫通溝２３に繋がらない。環状位置決め部３５は皿部３１から奥へ伸びて形成される。
【００１１】
第一弾性部材４０は圧縮スプリングから構成され、固定部材２０の管状部２１の大径部位２５内、かつ肩部２４とバルブ３０の皿部３１との間に装着される。第一弾性部材４０は一端がバルブ３０の環状位置決め部３５に被さって皿部３１に当接することによってバルブ３０を固定部材２０の開口部２２へ作動させる弾力を生じる。
【００１２】
図５に示すように、当接部材５０は前進位置Ｐ３（図６参照）と後退位置Ｐ４（図７および図８参照）の間を移動可能に固定部材２０の管状部２１の内部に装着され、かつバルブ３０の内側に位置付けられる。当接部材５０はヘッド部５１、シャフト５３および二つの嵌合部５５を有する。シャフト５３はヘッド部５１から伸びて形成される。二つの嵌合部５５はシャフト５３の外周壁に形成される。詳しく言えば、ヘッド部５１は大径部位２５に位置付けられる。
シャフト５３は小径部位２６から穿孔２９に差し込まれ、径方向に伸びていくスリット５４を有する。スリット５４は二つの嵌合部５５に隣接する。二つの嵌合部５５はスリット５４の範囲内に位置付けられる。スリット５４は径方向に沿ってシャフト５３を長く裂けさせるため、シャフト５３は径方向応力によって弾性変形することができる。二つの嵌合部５５は対称的に配置される。
【００１３】
第二弾性部材６０は圧縮スプリングから構成され、固定部材２０の管状部２１の中かつ底面２７と当接部材５０のヘッド部５１との間に装着されて肩部２４の小径部位２６に入り込むため、当接部材５０は第二弾性部材６０の弾力によって前進位置Ｐ３へ作動することができる。
【００１４】
密封部材７０は固定部材２０の開口部２２に近いバルブ３０の皿部３１の一側に装着される。
【００１５】
図６に示すように、電子画像生成装置にトナーカートリッジ１を装着する前、バルブ３０の皿部３１は第一弾性部材４０の弾力によって固定部材２０の開口部２２に向かって作動する。このとき当接部材５０は前進位置Ｐ３に据えられる。つまり、当接部材５０はヘッド部５１がバルブ３０の環状位置決め部３５に入り込んでバルブ３０の皿部３１に当接し、嵌合部５５が固定部材２０の管状部２１内に位置付けられるため、第二弾性部材６０の弾力によってバルブ３０を固定部材２０の開口部２２へ作動させることができる。
バルブ３０は第一弾性部材４０および当接部材５０からの外力を同時に受けるとともに密封部材７０を圧縮変形させて固定部材２０の開口部２２に密着させるため、固定部材２０の開口部２２は確実に閉鎖され、トナーの漏出を抑制できる。一方、バルブ３０の皿部３１の直径Ｄ１が固定部材２０の開口部２２の直径Ｄ２より大きいため、バルブ３０は固定部材２０の開口部２２から逸脱することがない。
【００１６】
電子画像生成装置にトナーカートリッジ１を装着する際、電子画像生成装置の接合部材７は固定部材２０の開口部２２に入り込んでバルブ３０に当接し、同時に第一弾性部材４０および第二弾性部材６０の弾力に反発してバルブ３０および当接部材５０を奥へ移動させる、即ち当接部材５０を後退位置Ｐ４へ移動させる。当接部材５０の二つの嵌合部５５はそれぞれ斜面５６（図５参照）を有する。嵌合部５５を穿孔２９に差す際、嵌合部５５の斜面５６を穿孔２９の辺縁部に当接させ、シャフト５３を強制的に変形させれば、嵌合部５５は穿孔２９を通りやすくなる。
図７に示すように、嵌合部５５が穿孔２９を通った後、シャフト５３は本来の位置に復元する。嵌合部５５は穿孔２９の干渉を受けて当接部材５０を後退位置Ｐ４に位置する。このとき嵌合部５５は固定部材２０の管状部２１の外側に位置する。バルブ３０は開放位置Ｐ２に据えられる。二つの貫通溝２３は開口部２２に繋がるため、ハウジング３の内部のトナーは二つの貫通溝２３を通って電子画像生成装置のトナー送入口８に入ることができる。
図７に示すように、当接部材５０が後退位置Ｐ４に据えられる際、嵌合部５５は固定部材２０の管状部２１の外側に位置付けられるため、当接部材５０は第二弾性部材６０の弾力を受けて後退位置Ｐ４から前進位置Ｐ３まで移動することができない
【００１７】
図８に示すように、電子画像生成装置からトナーカートリッジ１を取り外す際、バルブ３０は第一弾性部材４０の弾力によって開放位置Ｐ２から閉鎖位置Ｐ１に復元するとともに固定部材２０の開口部２２を閉鎖する。当接部材５０は後退位置Ｐ４にとどまる。
【００１８】
上述した構造の特徴により、漏れ止め装置１０は第一弾性部材４０および第二弾性部材６０でバルブ３０を固定部材２０の開口部２２へ作動させるため、電子画像生成装置内に装着される前のトナーカートリッジ１を確実に密封し、トナーの漏出を防ぐことができる。電子画像生成装置内にトナーカートリッジ１が装着された後、当接部材５０は後退位置Ｐ４に据えられる。取り外したトナーカートリッジ１を再び取り付ける際、第一弾性部材４０の弾力さえ解除すれば力をあまり使わらずトナーカートリッジ１を取り付けることができる。
【００１９】
トナーカートリッジ１は構造が上述に限定されず、変形してもよい。例えば固定部材２０の位置決め部２８と当接部材５０の嵌合部５５とは磁気吸引力または別の接合方式によって結合してもよい。つまり、当接部材５０を後退位置Ｐ４に維持することさえできればよい。当接部材５０のヘッド部５１は省略されてもよい。つまり、当接部材５０が前進位置Ｐ３に据えられる際、当接部材５０をバルブ３０に当接させることさえできればよい。密封部材７０はリング状でなく円盤状であってもよい。
【００２０】
本考案は、上記実施形態になんら限定されるものではなく、考案の趣旨を逸脱しない範囲において種々の形態で実施可能である。
【符号の説明】
【００２１】
１  トナーカートリッジ
３  ハウジング
５  開口部
７  接合部材
８  トナー送入口
１０  漏れ止め装置
２０  固定部材
２１  管状部
２２  開口部
２３  貫通溝
２４  肩部
２５  大径部位
２６  小径部位
２７  底面
２８  位置決め部
２９  穿孔
３０  バルブ
３１  皿部
３５  環状位置決め部
４０  第一弾性部材
５０  当接部材
５１  ヘッド部
５３  シャフト
５４  スリット
５５  嵌合部
５６  斜面
６０  第二弾性部材
７０  密封部材
Ｄ１、Ｄ２  直径
Ｐ１  閉鎖位置
Ｐ２  開放位置
Ｐ３  前進位置
Ｐ４  後退位置
【図１】
0003226260.tif 000003
【図２】
0003226260.tif 000004
【図３】
0003226260.tif 000005
【図４Ａ】
0003226260.tif 000006
【図４Ｂ】
0003226260.tif 000007
【図５】
0003226260.tif 000008
【図６】
0003226260.tif 000009
【図７】
0003226260.tif 000010
【図８】
0003226260.tif 000011